(57)【要約】【課題】本物の魚の動きに似せるのみならず、その存在をより明確に見せることのできるルアーを提供する。【解決手段】ルアー１は、頭部１０と、頭部１０に揺動自在に連結された主胴体部２１，２２，２３と、主胴体部２３に揺動自在に連結された尾部３０と、頭部１０に揺動自在に連結されると共に、主胴体部２１，２２よりも下側に配された副胴体部４０と、を備えている。さらに、副胴体部４０における左右の側面部表面には、第１主胴体部２１及び第２主胴体部２２側（中央側）が窪んだ凹部形状の水抵抗部Ｘが設けられている。【選択図】図１
2019141004.tif 000002
【特許請求の範囲】
【請求項１】
釣り糸の先端が接続される頭部と、
前記頭部の後端部に揺動自在に連結された主胴体部と、
前記主胴体部の後端部に揺動自在に連結された尾部と、
を少なくとも有するルアーであって、
前記頭部、前記主胴体部、及び前記尾部のうち少なくともいずれかの上側又は下側に配された副胴体部を備え、
前記副胴体部は、前記頭部、前記主胴体部、及び前記尾部のうち少なくともいずれかに揺動自在に連結されている
ことを特徴とするルアー。
【請求項２】
前記副胴体部における左右側面部のうち少なくとも一方の側面部には、当該ルアーの中央側が他の部位より凹んでなる水抵抗部が設けられている
請求項１に記載のルアー。
【請求項３】
前記頭部の後端縁には、
後方に向かって突出する後端凸部と、
前記後端凸部の上側又は下側に配された、前方に向かって凹む後端凹部と、
が設けられており、
前記主胴体部が、前記後端凸部及び前記後端凹部のうちいずれか一方に揺動自在に連結されており、
前記副胴体部が、他方に揺動自在に連結されている
請求項１又は請求項２に記載のルアー。
【請求項４】
前記後端凸部に連結している前記主胴体部又は前記副胴体部の前端縁が、当該後端凸部の形状に対応して後方に向かって凹む凹形状となっている
請求項３に記載のルアー。
【請求項５】
前記後端凹部に連結している前記主胴体部又は前記副胴体部の前端縁が、当該後端凹部の形状に対応して前方に向かって突出する凸形状となっている
請求項３又は請求項４に記載のルアー。
【発明の詳細な説明】
【技術分野】
【０００１】
本発明は、釣竿を用いた魚釣りの際に用いられる魚形状のルアー（疑似餌）に関する。
【背景技術】
【０００２】
従来から、魚形状のルアーとしては、前後方向に本体部が複数連結されたものが知られている。
【０００３】
また、例えば特許文献１には、流線形状の模擬魚体の腹部部分を切り欠いた切欠部に揺動自在に連結された揺動体を備えたものが開示されている。なお、かかる文献には、模擬魚体と揺動体との動きが不規則になり、あたかも弱った魚の腹の如き動きを総合的に似せることができることが記載されている。
【先行技術文献】
【特許文献】
【０００４】
【特許文献１】特開平８−１５４５３７号公報
【発明の概要】
【発明が解決しようとする課題】
【０００５】
しかしながら、釣り対象となる魚に対して本物の魚のような動きを見せることができるルアーは未だ改良の余地がある。すなわち、より本物の魚に近い活発な動きをさせることができるとともに、釣り対象となる魚が興味を示すような存在感のあるルアーが求められている。
【０００６】
そこで本発明は、本物の魚の動きに似せることができ、しかも、その存在をより明確に示すことのできるルアーを提供することを目的とする。
【課題を解決するための手段】
【０００７】
本発明は、釣り糸の先端が接続される頭部と、前記頭部の後端部に揺動自在に連結された主胴体部と、前記主胴体部の後端部に揺動自在に連結された尾部と、
を少なくとも有するルアーであって、前記頭部、前記主胴体部、及び前記尾部のうち少なくともいずれかの上側又は下側に配された副胴体部を備え、前記副胴体部は、前記頭部、前記主胴体部、及び前記尾部のうち少なくともいずれかに揺動自在に連結されていることを特徴とするルアーである。
【０００８】
かかる構成にあっては、前記頭部から後方に向かって連結された前記主胴体部及び前記尾部にわたって揺動自在に連結されているために、前記頭部の動きに追従して前記主胴体部及び前記尾部が連動し、本物の魚の動きに似せた動きを見せることができる。加えて、前記副胴体部が、揺動自在に連結された前記頭部、前記主胴体部、又は尾部の動きに追従するとともに、連結されていない部位とは反作用によって異なる動きをすることにより、頭部と尾部とを通る仮想中心軸を中心にルアー全体でねじれの動きを発生させることができ、従来では再現できなかった魚が持つ特有の動きを演出することが可能となる。
【０００９】
なお、頭部、主胴体部、尾部、又は副胴体部は、各々が単一部材で構成されていてもよいし、複数の部材が連結して構成されていてもよい。また、連結態様としては、例えば、前記副胴体部が前記頭部とのみ揺動自在に連結されていてもよいし、前記副胴体部が主胴体部とのみ揺動自在に連結されていてもよいし、前記副胴体部が前記頭部及び主胴体部と揺動自在に連結されていてもよい。
【００１０】
また、上記構成にあって、前記副胴体部における左右側面部のうち少なくとも一方の側面部には、当該ルアーの中央側が他の部位より凹んでなる水抵抗部が設けられていることが好ましい。
【００１１】
ここで、従来までは、本物の魚の外観形状をできる限り模倣するべく、できる限り水の抵抗を減らす魚特有の流線型のルアー形状とすることがなされてきた。具体的には、胴体の中央が最も厚肉とされ、上端縁及び下端縁に向かうほど薄肉となる形状がいわゆる本物の魚の外観形状である。しかしながら、本発明者は、あえて水の抵抗をうける形状の副胴体部を設けることで、従来にないルアーの動きが実現可能となる新しい着想に至った。
【００１２】
さらに詳述すると、かかる構成のようにルアーの中央側が他の部位より薄肉な凹形状の水抵抗部を設けることにより、ルアーを前進させた際に当該副胴体部が水の抵抗を受け易くなり、副胴体部がより一層大きく揺動することになる。または、他の部位は揺動しているが、副胴体部のみが静止した状態となることもある。したがって、ルアー全体としてねじれの動きを演出しつつ、魚体の一部を大きく揺動させたり、前記一部の動きを停止させたりすることが可能となり、釣り対象となる魚が興味を示すような存在感のある挙動が実現可能となる。これにより、例えば、弱った魚の動きは勿論のこと、逃げ惑う動き、漂う動き、威嚇的な動き、迷って逃げ出す前の動き、水際でボコボコという音を鳴らす動き、あるいは高速な動きから瞬時に止まる動きなどのような魚が本来持つ習性を演出することが可能となる。なお、水抵抗部の凹みの大きさや深さを適宜変更して水の抵抗度合いを調整することにより、使用者が所望する動きを細やかに演出できるルアーとなる。
【００１３】
また、前記頭部の後端縁には、後方に向かって突出する後端凸部と、前記後端凸部の上側又は下側に配された、前方に向かって凹む後端凹部と、が設けられており、前記主胴体部が、前記後端凸部及び前記後端凹部のうちいずれか一方に揺動自在に連結されており、前記副胴体部が、他方に揺動自在に連結されている構成が提案される。
【００１４】
上述のように、後端縁の形状が異なる部位を上下に配置する構成とすることにより、後端凸部に連結された部材の可動域と、後端凹部に連結された部材の可動域とを互いに異ならせて前記主胴体部の動きと前記副胴体部の動きとを明確に異ならせることが可能となる。したがって、ルアーにおける上部と下部とで動作態様が相違することになり、全体として変化に富んだ演出が可能となる。
【００１５】
また、前記後端凸部に連結している前記主胴体部又は前記副胴体部の前端縁が、当該後端凸部の形状に対応して後方に向かって凹む凹形状となっている構成が提案される。
【００１６】
また、前記後端凹部に連結している前記主胴体部又は前記副胴体部の前端縁が、当該後端凹部の形状に対応して前方に向かって突出する凸形状となっている構成が提案される。
【００１７】
かかる構成にあっては、前記頭部と前記主胴体部との間、及び、前記頭部と前記副胴体部と間に流入する水の抵抗度合いに差が生まれ、主胴体部と副胴体部との間で挙動を異ならせることが可能となり、より一層、ルアーの動きを複雑にして存在感を増幅させることが可能となる。また、ルアーにおける上部と下部とで水の抵抗度合いが異なることで、水面近くで水の抵抗を受けやすい特性を持たせたり、水面近くで水の抵抗を受けにくい特性を持たせたりすることが可能となる。
【発明の効果】
【００１８】
本発明にかかるルアーは、本物の魚の動きに似せることができ、しかも、その存在をより明確に示すことのできる優れた効果がある。
【図面の簡単な説明】
【００１９】
【図１】実施例１にかかるルアーの右側面図である。
【図２】図１のＡ−Ａ線端面図である。
【図３】実施例２にかかるルアーの右側面図である。
【図４】実施例３にかかるルアーの右側面図である。
【図５】実施例４にかかるルアーの右側面図である。
【図６】（ａ）は図５のＢ−Ｂ線端面図であり、（ｂ）は図５のＣ−Ｃ線端面図である。
【図７】実施例５にかかるルアーの右側面図である。
【発明を実施するための形態】
【００２０】
以下に本発明を具体化した実施例を詳細に説明する。なお、本発明は、下記に示す実施例に限定されることはなく、適宜設計変更が可能である。
【００２１】
〔実施例１〕
実施例１のルアー１を図１，図２に従って説明する。
【００２２】
全体として魚形状とされたルアー１は、図１に示すように、釣り糸（道糸）の先端が接続される先端部を具備した頭部１０を備えている。なお、前記先端部には、釣り糸の先端を接続するための環状の糸接続部１１が設けられている。
【００２３】
また、頭部１０における後端部の上側部には、第１主胴体部２１が左右方向に揺動自在となるように連結されている。具体的には頭部１０と第１主胴体部２１とは、端縁部に並設された一対の鎖状体１２を介して連結されている。
【００２４】
同様に、第１主胴体部２１の後端部には、第２主胴体部２２の先端部が連結されている。さらに、第２主胴体部２２の後端部には、第３主胴体部２３の先端部が連結されている。そして、第３主胴体部２３の後端部には、魚の尾部を模した形状の尾部３０の先端部が連結されている。
【００２５】
なお、第１主胴体部２１、第２主胴体部２２、及び第３主胴体部２３により、本発明に係る主胴体部が構成される。また、頭部１０と、第１主胴体部２１と、第２主胴体部２２と、第３主胴体部２３と、尾部３０とによって主魚体部２０が構成されている。
【００２６】
さらに、頭部１０の後端部における下側部には、鎖状体１２を介して副胴体部４０の前端部が揺動自在に連結されている。なお、副胴体部４０は、第１主胴体部２１と、第２主胴体部２２の下側に配置されており、換言すれば頭部１０と尾部３０とを通る仮想中心軸Ｌを含む主魚体部２０よりも下方に配置されている。
【００２７】
さらに、副胴体部４０における左右の側面部表面には、水抵抗部Ｘが設けられている。図２に従ってさらに詳述すると、水抵抗部Ｘは、第１主胴体部２１及び第２主胴体部２２側（中央側）が、当該副胴体部４０の下端寄りの部位や後端寄りの部位よりも窪んだ凹部形状となっている。かかる水抵抗部Ｘの機能については後述する。
【００２８】
なお、頭部１０の下側部と、副胴体部４０の下端部と、第３主胴体部２３の下端部とに、釣り針（図示省略）を接続する環状の針接続部１５が設けられている。
【００２９】
上述の構成を有するルアー１にあっては、糸接続部１１に接続された糸を引っ張ることにより頭部１０の動きに追従して第１主胴体部２１、第２主胴体部２２、第３主胴体部２３、及び尾部３０が、頭部１０に対して順に連動することとなる。
【００３０】
一方、副胴体部４０は、頭部１０の動きに追従するが、第１主胴体部２１、第２主胴体部２２、及び尾部３０とは連動することはなく、独立した周期で揺動する。そうすると、ルアー１全体として、仮想中心軸Ｌを中心にねじるような動きを発生させることができ、従来では再現できなかった魚が持つ特有の動きを演出することが可能となる。
【００３１】
特に、ルアー１にあっては、副胴体部４０の前端部のみが頭部１０と連結されているため、副胴体部４０の後側は他の束縛を受けずに第１主胴体部２１、及び第２主胴体部２２よりもダイナミックな動作が生まれる。
【００３２】
〔実施例２〕
実施例２のルアー２を図３に従って説明する。なお、上記実施例１と同様の構成を有するものは同じ符号を付し、説明を省略する。
【００３３】
ルアー２の副胴体部４０は、頭部１０とは連結されていない。かわりに、副胴体部４０の上端部が、第１主胴体部２１の下端部に鎖状体１２を介して揺動自在に連結されている。
【００３４】
かかるルアー２にあっては、第１主胴体部２１の下端部の動きに追従して副胴体部４０が揺動する。
【００３５】
さらに、ルアー２にあっては、副胴体部４０の上端部のみが第１主胴体部２１の下端部と連結されているため、水抵抗部Ｘが水の抵抗を受けるなかで副胴体部４０の下側は他の束縛を受けずに第１主胴体部２１や第２主胴体部２２よりもダイナミックな動きをする。これにより、全体として仮想中心軸Ｌを中心としたねじれを生みつつ、第１主胴体部２１と副胴体部４０との間で異なる挙動を生じさせて魚に対してその存在をより明確に示すことができる。
【００３６】
〔実施例３〕
実施例３のルアー３を図４に従って説明する。なお、上記実施例１，２と同様の構成を有するものは同じ符号を付し、説明を省略する。
【００３７】
ルアー３の副胴体部４０は、前端部が頭部１０の後端部と鎖状体１２を介して揺動自在に連結されるとともに、上端部が第１主胴体部２１の下端部と鎖状体１２を介して揺動自在に連結されている。
【００３８】
かかるルアー３にあっては、頭部１０の後端部及び第１主胴体部２１の下端部の動きに追従して副胴体部４０が揺動する。しかも、水抵抗部Ｘが水の抵抗を受けるなかで副胴体部４０の下側は他の束縛を受けずに第２主胴体部２２よりもダイナミックな動きをすることができる。これにより、全体として仮想中心軸Ｌを中心としたねじれを生みつつ、頭部１０、第１主胴体部２１、及び副胴体部４０からなる仮想平面部を波打つように連動させて魚に対してその存在をより明確に示すことができる。
【００３９】
〔実施例４〕
実施例４のルアー４を図５に従って説明する。なお、上記実施例１〜３と同様の構成を有するものは同じ符号を付し、説明を省略する。
【００４０】
ルアー４は、魚の頭部を模した形状の頭部５０を備えている。また、頭部５０の先端部には、釣り糸（道糸）の先端が接続される環状の糸接続部５１が設けられている。
【００４１】
さらに、頭部５０の後端縁には、後方に向かって突出する上側後端凸部５３と、前方に向かって凹む下側後端凹部５４とが上下に隣接して配置されている。
【００４２】
そして、上側後端凸部５３には、鎖状体１２を介して主胴体部６１が揺動自在に連結されており、さらに主胴体部６１の後端部には、鎖状体１２を介して尾部７０が揺動自在に連結されている。なお、頭部５０と、主胴体部６１と、尾部７０とによって主魚体部６０が構成されている。
【００４３】
一方、下側後端凹部５４には、鎖状体１２を介して副胴体部８０が揺動自在に連結されている。なお、副胴体部８０は、主胴体部６１の下側に配置されており、主胴体部６１と副胴体部８０とが、上下方向に並置されている。
【００４４】
また、主胴体部６１の前端縁は、上側後端凸部５３の凸形状に対応した凹形状となっている。さらに、副胴体部８０の前端縁は、下側後端凹部５４の凹形状に対応した凸形状となっている。
【００４５】
さらに、図６ａに示すように、頭部５０は、前端から後端にかけてほぼ均一の厚み形状とされている。これに対し、図６ｂに示すように、主胴体部６１及び副胴体部８０は、当該ルアー４の中央側が他の部位より凹んでなる水抵抗部Ｘが設けられている。具体的に水抵抗部Ｘは、主胴体部６１の下端部側と、副胴体部８０の上端部側とに設けられている。
【００４６】
なお、頭部５０の下側部と、副胴体部８０の下端部とには、釣り針を接続する環状の針接続部５５が設けられている。
【００４７】
上述の構成を有するルアー４にあっては、糸接続部５１に接続された糸を引っ張ることにより頭部５０の動きに追従して主胴体部６１と尾部７０とが順に追従する。これに対して、副胴体部８０は、頭部５０の動きには追従するが、主胴体部６１と連動せずに揺動する。
【００４８】
さらに、図５において矢印で示したように、主胴体部６１は、前端縁の凹形状に起因して水の抵抗を受けやすく、一方、副胴体部８０は、前端縁の凸形状に起因して相対的に水の抵抗を受けにくい。このため、頭部５０の上下において水の抵抗度合いが相違しており、ルアー４の上下において異なる挙動を演出することが可能となる。
【００４９】
〔実施例５〕
実施例５のルアー５を図７に従って説明する。なお、上記実施例１〜４と同様の構成を有するものは同じ符号を付し、説明を省略する。
【００５０】
ルアー５において、頭部９０の後端縁には、後方に向かって凹む上側後端凹部９３と、前方に向かって突出する下側後端凸部９４とが上下に隣接して配置されている。
【００５１】
そして、上側後端凹部９３には、鎖状体１２を介して主胴体部１０１が揺動自在に連結されており、さらに主胴体部１０１の後端部には、鎖状体１２を介して尾部１１０が揺動自在に連結されている。なお、頭部９０と、主胴体部１０１と、尾部１１０とによって主魚体部１００が構成されている。
【００５２】
一方、下側後端凸部９４には、鎖状体１２を介して副胴体部１２０が揺動自在に連結されている。なお、副胴体部１２０は、主胴体部１０１の下側に配置されており、主胴体部１０１と副胴体部１２０とが、上下方向に並置されている。
【００５３】
また、主胴体部１０１の前端縁は、上側後端凹部９３の凹形状に対応した凸形状となっている。さらに、副胴体部１２０の前端縁は、下側後端凸部９４の凸形状に対応した凹形状となっている。
【００５４】
上述の構成を有するルアー５にあっては、実施例４と同様に、頭部９０の動きに追従して主胴体部１０１と尾部１１０とが順に追従する。これに対して、副胴体部１２０は、頭部９０の動きには追従するが、主胴体部１０１と連動せずに揺動する。
【００５５】
また、図７において矢印で示したように、副胴体部１２０は、前端縁の凹形状に起因して水の抵抗を受けやすく、一方、主胴体部１０１は、前端縁の凸形状に起因して相対的に水の抵抗を受けにくい。このため、実施例４と同様に、頭部９０の上下において水の抵抗度合いが相違しており、ルアー５の上下において異なる挙動を演出することが可能となる。
【００５６】
上記実施例において、各部の寸法形状は適宜自由に選択可能である。
【００５７】
また、実施例１、実施例２、及び実施例３において、主胴体部２１，２２，２３は３個で構成する必要はなく、１個や２個、または４個以上であっても構わない。また、実施例４、及び実施例５においても、主胴体部６１，１００は２個以上あっても構わない。さらに、副胴体部４０，８０，１２０も１個に限らず、２個以上設けられていても構わない。
【００５８】
また、副胴体部４０，８０，１２０は、主胴体部２１，２２，２３，６１，１００の上側に配置されていてもよい。
【００５９】
また、鎖状体１２を脱着自在な構成として、種々の各部を組み合わせ自由な構成としてもよい。また、異なる形状の部材に交換可能とした構成としてもよい。また、鎖状体１２の連結箇所は上述のものに限定されることはなく、連結箇所を適宜変更することにより、ルアー１〜５の動きを適宜変更することができる。また、連結手段としては、鎖状体１２に代えて、他の構造からなるものが採用されてもよい。例えば、可撓性のある線条体を採用して、上下左右方向に揺動自在としてもよい。
【００６０】
また、水抵抗部Ｘは、副胴体部４０，８０，１２０や、主胴体部２１，２２，２３，６１，１００の左右両側面に設けられていてもよいし、片側のみに設けられていてもよい。
【００６１】
また、ルアー１〜５においては、種々の材料で構成することができ、例えば部位ごとに材料が異なってもよい。
【符号の説明】
【００６２】
１，２，３，４，５          ルアー
１０，５０，９０            頭部
２１                        第１主胴体部（主胴体部）
２２                        第２主胴体部（主胴体部）
２３                        第３主胴体部（主胴体部）
３０，７０，１１０          尾部
４０，８０，１２０          副胴体部
５３                        後端凸部
５４                        後端凹部
６１，１００                主胴体部
９３，９４                  後端凹部 
【図１】
2019141004.tif 000003
【図２】
2019141004.tif 000004
【図３】
2019141004.tif 000005
【図４】
2019141004.tif 000006
【図５】
2019141004.tif 000007
【図６】
2019141004.tif 000008
【図７】
2019141004.tif 000009
【手続補正書】
【提出日】平成30年6月8日(2018.6.8)
【手続補正１】
【補正対象書類名】特許請求の範囲
【補正対象項目名】請求項１
【補正方法】変更
【補正の内容】
【請求項１】
釣り糸の先端が接続される頭部と、
前記頭部の後端部に揺動自在に連結された主胴体部と、
前記主胴体部の後端部に揺動自在に連結された尾部と、
からなる主魚体部を少なくとも有するルアーであって、
前記主胴体部の上側又は下側に配された副胴体部を備え、
前記副胴体部は、前記頭部、及び前記主胴体部のうち少なくともいずれかを連結対象として、鎖状体又は可撓性のある線状体からなる連結手段を介して前記連結対象に連結されており、
さらに、前記主魚体部が水中で前記釣り糸によって引っ張られたときに、前記副胴体部は、前記連結対象に対して前記連結手段を中心にねじれる方向にも揺動自在である
ことを特徴とするルアー。
【手続補正２】
【補正対象書類名】明細書
【補正対象項目名】０００７
【補正方法】変更
【補正の内容】
【０００７】
本発明は、釣り糸の先端が接続される頭部と、前記頭部の後端部に揺動自在に連結された主胴体部と、前記主胴体部の後端部に揺動自在に連結された尾部と、からなる主魚体部を少なくとも有するルアーであって、前記主胴体部の上側又は下側に配された副胴体部を備え、前記副胴体部は、前記頭部、及び前記主胴体部のうち少なくともいずれかを連結対象として、鎖状体又は可撓性のある線状体からなる連結手段を介して前記連結対象に連結されており、さらに、水中で前記釣り糸によって引っ張られる主魚体部の動きに伴い、前記副胴体部は、前記連結対象に対して前記連結手段を中心にねじれる方向にも揺動自在であることを特徴とするルアーである。
【手続補正３】
【補正対象書類名】明細書
【補正対象項目名】０００８
【補正方法】変更
【補正の内容】
【０００８】
かかる構成にあっては、前記頭部から後方に向かって連結された前記主胴体部及び前記尾部にわたって揺動自在に連結されているために、前記頭部の動きに追従して前記主胴体部及び前記尾部が連動し、本物の魚の動きに似せた動きを見せることができる。加えて、前記副胴体部が、揺動自在に連結された前記頭部、又は前記主胴体部の動きに追従するとともに、連結されていない部位とは反作用によって異なる動きをすることにより、ルアーにねじれの動きを発生させることができる。
【手続補正４】
【補正対象書類名】明細書
【補正対象項目名】００３５
【補正方法】変更
【補正の内容】
【００３５】
さらに、ルアー２にあっては、副胴体部４０の上端部のみが第１主胴体部２１の下端部と連結されているため、水抵抗部Ｘが水の抵抗を受けるなかで副胴体部４０の下側は他の束縛を受けずに第１主胴体部２１や第２主胴体部２２よりもダイナミックな動きをする。これにより、第１主胴体部２１と副胴体部４０との間で異なる挙動を生じさせて魚に対してその存在をより明確に示すことができる。
【手続補正５】
【補正対象書類名】明細書
【補正対象項目名】００３８
【補正方法】変更
【補正の内容】
【００３８】
かかるルアー３にあっては、頭部１０の後端部及び第１主胴体部２１の下端部の動きに追従して副胴体部４０が揺動する。しかも、水抵抗部Ｘが水の抵抗を受けるなかで副胴体部４０の下側は他の束縛を受けずに第２主胴体部２２よりもダイナミックな動きをすることができる。これにより、頭部１０、第１主胴体部２１、及び副胴体部４０からなる仮想平面部を波打つように連動させて魚に対してその存在をより明確に示すことができる。
【手続補正６】
【補正対象書類名】明細書
【補正対象項目名】００５９
【補正方法】変更
【補正の内容】
【００５９】
また、鎖状体１２を脱着自在な構成として、種々の各部を組み合わせ自由な構成としてもよい。また、異なる形状の部材に交換可能とした構成としてもよい。また、鎖状体１２の連結箇所は上述のものに限定されることはなく、連結箇所を適宜変更することにより、ルアー１〜５の動きを適宜変更することができる。また、連結手段としては、鎖状体１２に代えて、他の構造からなるものが採用されてもよい。例えば、可撓性のある線状体を採用して、上下左右方向に揺動自在としてもよい。